(57)【要約】【課題】電子文書に関連する録画番組などの情報を容易かつタイムリーに取得してユーザに提供する。【解決手段】ある実施形態における情報処理装置１０は、電子文書を保持する第１サーバ２０、録画番組を保持する第２サーバ３０、および録画番組に関連付けられたキーワード情報を保持する第３サーバ４０との間で通信を行うネットワーク通信部１１と、ユーザの操作を受け付けるユーザインターフェース１２と、第１サーバ２０から取得した電子文書をディスプレイ１３に表示させる制御部１６とを備える。制御部１６は、ユーザの選択に応答して、電子文書中の選択された内容に関連する情報を第３サーバ４０に送信し、送信した情報に一致または類似するキーワード情報に関連付けられた少なくとも１つの録画番組を特定する情報を第３サーバ４０から取得して、第２サーバ３０に記録されている録画番組を再生する。【選択図】図１
2013243642.tif 000002
【特許請求の範囲】
【請求項１】
電子文書を保持する第１サーバ、録画番組を保持する第２サーバ、および前記録画番組に関連付けられたキーワード情報を保持する第３サーバとの間で通信を行うネットワーク通信部と、
ユーザの操作を受け付けるユーザインターフェースと、
前記第１サーバから取得した前記電子文書をディスプレイに表示させる制御部であって、ユーザの選択に応答して、前記電子文書中の選択された内容に関連する情報を前記第３サーバに送信し、送信した前記情報に一致または類似するキーワード情報に関連付けられた少なくとも１つの録画番組を特定する情報を前記第３サーバから取得して、前記第２サーバに記録されている前記録画番組を再生する制御部と、
を備える情報処理装置。
【請求項２】
前記キーワード情報は、前記録画番組を構成するシーンごとに関連付けられており、
前記制御部は、前記第３サーバに送信した前記情報に一致または類似するキーワード情報に関連付けられたシーンを特定する情報を前記第３サーバから取得して、前記第２サーバに記録されている前記録画番組の前記シーンを再生する、
請求項１に記載の情報処理装置。
【請求項３】
前記制御部は、ユーザが再生を希望する録画番組の条件を設定するための少なくとも１つの項目を前記ディスプレイに表示させる、請求項１に記載の情報処理装置。
【請求項４】
前記少なくとも１つの項目は、番組のジャンル、チャンネル、再生時間のいずれかを含む、請求項３に記載の情報処理装置。
【請求項５】
前記制御部は、前記電子文書とともに、メニューボタンを前記ディスプレイに表示させ、ユーザが前記メニューボタンを選択したとき、前記録画番組の条件を設定するための画面を前記ディスプレイに表示させる、請求項３に記載の情報処理装置。
【請求項６】
前記制御部は、前記録画番組を特定する情報を前記第３サーバから取得したとき、前記録画番組を再生するための再生ボタンを前記ディスプレイに表示させる、請求項１に記載の情報処理装置。
【請求項７】
前記制御部は、前記録画番組を特定するための情報を前記第３サーバから取得したとき、前記録画番組の概要および前記キーワード情報の一致の程度を示す情報の少なくとも一方を前記ディスプレイに表示させる、請求項１に記載の情報処理装置。
【請求項８】
前記制御部は、前記電子文書からユーザが選択した箇所のテキスト情報または前記箇所に関連付けられたタグ情報を、前記選択された内容に関連する情報として、前記第３サーバに送信する、請求項１に記載の情報処理装置。
【請求項９】
前記第１サーバ、前記第２サーバ、および前記第３サーバのうちの少なくとも２つは、同一装置内に設けられている、請求項１に記載の情報処理装置。
【請求項１０】
電子文書を保持する第１サーバ、およびキーワード情報に関連付けられた動画像、静止画像、および文書の少なくとも２つのデータを保持する第２サーバとの間で通信を行うネットワーク通信部と、
ユーザの操作を受け付けるユーザインターフェースと、
前記第１サーバから取得した前記電子文書を前記ディスプレイに表示させる制御部であって、ユーザの選択に応答して、前記電子文書中の選択された内容に関連する情報を前記第２サーバに送信し、送信した前記情報に一致または類似するキーワード情報に関連付けられた動画像、静止画像、および文書の少なくとも２つのデータを前記第２サーバから取得して、前記動画像、静止画像、および文書の少なくとも２つを前記電子文書とともに前記ディスプレイに表示させる制御部と、
を備える情報処理装置。
【請求項１１】
電子文書を保持する第１サーバと、
録画番組を保持する第２サーバと、
前記録画番組に関連付けられたキーワード情報を保持する第３サーバと、
情報処理装置と、
を備えるシステムであって、
前記情報処理装置は、
前記第１サーバ、前記第２サーバ、および前記第３サーバとの間で通信を行うネットワーク通信部と、
ユーザの操作を受け付けるユーザインターフェースと、
前記第１サーバから取得した前記電子文書をディスプレイに表示させる制御部であって、ユーザの選択に応答して、前記電子文書中の選択された内容に関連する情報を前記第３サーバに送信し、送信した前記情報に一致または類似するキーワード情報に関連付けられた少なくとも１つの録画番組を特定する情報を前記第３サーバから取得して、前記第２サーバに記録されている前記録画番組を再生する制御部と、
を有するシステム。
【請求項１２】
電子文書を保持する第１サーバと、
キーワード情報に関連付けられた動画像、静止画像、および文書の少なくとも２つのデータを保持する第２サーバと、
情報処理装置と、
を備えるシステムであって、
前記情報処理装置は、
前記第１サーバおよび前記第２サーバとの間で通信を行うネットワーク通信部と、
ユーザの操作を受け付けるユーザインターフェースと、
前記第１サーバから取得した前記電子文書を前記ディスプレイに表示させる制御部であって、ユーザの選択に応答して、前記電子文書中の選択された内容に関連する情報を前記第２サーバに送信し、送信した前記情報に一致または類似するキーワード情報に関連付けられた動画像、静止画像、および文書の少なくとも２つのデータを前記第２サーバから取得して、前記動画像、静止画像、および文書の少なくとも２つを前記電子文書とともに前記ディスプレイに表示させる制御部と、
を有するシステム。
【発明の詳細な説明】
【技術分野】
【０００１】
本開示は、新聞記事などの電子文書に関連する情報を表示する情報処理装置、および当該情報処理装置を含むシステムに関する。
【背景技術】
【０００２】
通信回線を介して受信した実際の紙面と同じイメージの新聞画像データをパーソナルコンピュータ（ＰＣ）等の表示画面上に表示する技術が、例えば特許文献１に記載されている。
【０００３】
また、紙で提供される新聞を電子版としてスマートフォンなどの端末（以下、「情報処理装置」とも呼ぶ。）で見るための技術も存在する。新聞アプリを情報処理装置にインストールすることにより、情報処理装置で新聞の紙面イメージを表示したり、新しく到着した記事（以下、「速報ニュース」とも呼ぶ。）を閲覧することができる。このような情報処理装置を用いることにより、ユーザは、出勤・通学時などの外出先で手軽に新聞や速報ニュースを読むことができる。
【先行技術文献】
【特許文献】
【０００４】
【特許文献１】特開２００７−３２３３６９号公報
【発明の概要】
【発明が解決しようとする課題】
【０００５】
従来技術では、新聞、書籍、雑誌、論文誌などの電子文書内の記事や用語に関連する録画番組などの情報を容易かつタイムリーに得ることができなかった。
【０００６】
本開示は、新聞コンテンツなどの電子文書内の記事または用語に関連する録画番組などの情報を容易かつタイムリーに得ることができる技術を提供する。
【課題を解決するための手段】
【０００７】
本開示の一態様に係る情報処理装置は、電子文書を保持する第１サーバ、録画番組を保持する第２サーバ、および前記録画番組に関連付けられたキーワード情報を保持する第３サーバとの間で通信を行うネットワーク通信部と、ユーザの操作を受け付けるユーザインターフェースと、前記第１サーバから取得した前記電子文書をディスプレイに表示させる制御部であって、ユーザの選択に応答して、前記電子文書中の選択された内容に関連する情報を前記第３サーバに送信し、送信した前記情報に一致または類似するキーワード情報に関連付けられた少なくとも１つの録画番組を特定する情報を前記第３サーバから取得して、前記第２サーバに記録されている前記録画番組を再生する制御部と、を備える。
【０００８】
本開示の他の態様に係る情報処理装置は、電子文書を保持する第１サーバ、およびキーワード情報に関連付けられた動画像、静止画像、および文書の少なくとも１つのデータを保持する第２サーバとの間で通信を行うネットワーク通信部と、ユーザの操作を受け付けるユーザインターフェースと、前記第１サーバから取得した前記電子文書を前記ディスプレイに表示させる制御部であって、ユーザの選択に応答して、前記電子文書中の選択された内容に関連する情報を前記第２サーバに送信し、送信した前記情報に一致または類似するキーワード情報に関連付けられた動画像、静止画像、および文書の少なくとも１つのデータを前記第２サーバから取得して、前記動画像、静止画像、および文書の少なくとも１つを前記電子文書とともに前記ディスプレイに表示させる制御部と、を備える。
【発明の効果】
【０００９】
本開示の技術によれば、電子文書内でユーザが選択した箇所に関連する情報をディスプレイに表示させるので、ユーザは電子文書内の興味をもった箇所に関連する録画番組などの情報を容易かつタイムリーに得ることができる。
【図面の簡単な説明】
【００１０】
【図１】実施形態１における電子文書表示システムの全体構成図
【図２】ＨＴＭＬ文書の文書構造の一例を示す図
【図３】実施形態１における電子文書表示方法のフローチャート
【図４】第３サーバ又は第５サーバに保存されている録画番組のシーン一覧、シーン時刻及びそれに含まれるキーワードの例を示す図
【図５】電子文書表示装置の表示画面に表示される速報ニュース一覧の表示例を示す図
【図６】電子文書表示装置の表示画面に表示される速報ニュースの詳細記事の表示例を示す図
【図７】電子文書表示装置の表示画面に表示される速報ニュースの記事に関連する録画番組を再生するための再生ボタンの表示例を示した図
【図８】実施形態１の変形例における電子文書表示システムの全体構成図
【図９】実施形態１の変形例における電子文書表示方法を示す他のフローチャート
【図１０】実施形態２における電子文書表示システムの全体構成図
【図１１】実施形態２における電子文書表示方法のフローチャート
【図１２】電子文書表示装置の表示画面に表示される電子書籍の表示例を示す図
【図１３】電子文書表示装置の表示画面に表示される電子書籍の所定箇所に関連する録画番組を再生するための再生ボタンの表示例を示した図
【図１４】電子文書表示装置の表示画面に表示される電子書籍の所定箇所に関連する録画番組を再生するための再生ボタンの他の表示例を示した図
【図１５】実施形態３における速報ニュース一覧画面を示す図
【図１６】実施形態３における送信サービスメニュー一覧画面を示す図
【図１７】実施形態３における電子書籍の表示例を示す図
【図１８】実施形態３における送信サービスメニュー一覧画面の他の例を示す図
【図１９】実施形態４における電子文書表示システムの全体構成図
【図２０】実施形態４における電子文書表示方法のフローチャート
【図２１】実施形態４における速報ニュース一覧画面の変化の例を示す図
【図２２】実施形態４における電子書籍の表示画面の変化を示す図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者らは、当業者が本開示を十分に理解するために添付図面および以下の説明を提供するのであって、これらによって特許請求の範囲に記載の主題を限定することを意図するものではない。
【００１２】
（実施形態１）
まず、第１の実施形態を説明する。本実施形態は、電子新聞のコンテンツ（以下、「新聞コンテンツ」と呼ぶことがある。）をディスプレイに表示することが可能な情報処理装置を含む電子文書表示システムに関する。情報処理装置は、新聞コンテンツだけでなく、レコーダ（録画装置）に記録された放送番組のコンテンツまたはビデオ・オン・デマンド（ＶＯＤ）方式で提供される映像コンテンツ（以下、これらのコンテンツを総称して「録画番組」と呼ぶことがある。）もディスプレイに表示させることができる。さらに、閲覧中の新聞コンテンツの中でユーザが関心を持った箇所を選択すると、当該箇所に関連する録画番組を再生することができる。この機能を実現するため、情報処理装置は、新聞コンテンツを保持する第１のサーバ、録画番組を保持するレコーダ（第２のサーバ）、および録画番組に関連付けられたキーワード情報を保持する第３のサーバに、ネットワークを介して通信可能な構成を備えている。
【００１３】
なお、本明細書における「サーバ」とは、データの記録およびデータの送受信が可能なコンピュータ（コンピュータを搭載した装置を含む）またはそのようなコンピュータを複数組み合わせたものを意味する。本実施形態では、第１および第３のサーバは、それぞれ異なる事業者が保有するサーバコンピュータであり、第２のサーバは、ユーザが保有するレコーダまたは事業者が保有するサーバコンピュータであるが、このような例に限定されない。
【００１４】
情報処理装置が第３のサーバに、ユーザが選択した新聞コンテンツ中の箇所に埋め込まれたタグ情報または当該箇所のテキスト情報を送信すると、第３のサーバは、当該タグ情報またはテキスト情報に一致または類似するキーワード情報を有する録画番組を検索する。一致または類似するキーワード情報を有する録画番組があれば、第３のサーバは、その録画番組のシーンを特定するための情報（例えば番組ＩＤおよび再生開始時刻）を情報処理装置に送信する。その情報を受け取った情報処理装置は、第２のサーバからその情報に対応する録画番組のデータを取得して当該録画番組を再生する。これにより、ユーザは、電子新聞の閲覧中に、記事または用語についてより深く知りたいと思ったときに、それらに関連する録画番組を容易かつタイムリーに視聴することができる。
【００１５】
従来の情報処理装置では、ユーザが速報ニュースやその後に配信予定の当日の夕刊又は翌日の朝刊を手軽に読むことができるが、新聞記事の文字や画像だけでは面白味に欠ける。ユーザは、新聞のテキスト情報および画像情報だけでは記事内容を深く理解することが不十分と感じることがある。新聞記事と他の動画情報などの関連情報とを有機的に融合させて多面的に理解を深めたいとの願望を持つユーザも想定される。
【００１６】
一方、一定の日数分（例えば１週間分）の全チャンネルのテレビ番組をすべて録画する多チャンネルレコーダ（以下、「全録レコーダ」と呼ぶことがある。）によって、すべての番組を録画する番組全部録画（以下、「全録」と略す。）という録画方法が浸透しつつある。しかし、全録された録画番組を有効に活用する方法が見つかっておらず、録画番組を視聴するのに追われて楽しむどころか見切れないと負担に感じるユーザも存在する。
【００１７】
このように、ユーザが情報処理端末を用いて新聞記事を読んでいるとき、ユーザがその記事に関連する録画番組を録画していても、タイムリーにその録画番組を視聴することができないという課題があった。この課題は、新聞記事に限らず、書籍、雑誌、論文誌などの電子文書を読むときにも同様に当てはまる。
【００１８】
また、閲覧中の電子文書に関連する録画番組が、ユーザ自身が録画した録画番組に限らず、例えばインターネット上のサーバに格納されている場合には、その録画番組をタイムリーに視聴したいとの願望を持つユーザも想定される。
【００１９】
本実施形態のシステムによれば、新聞コンテンツ内の記事や文言に関連する録画番組を容易に特定することができ、しかもタイムリーにその録画番組の視聴が可能となるため、ユーザにとってきわめて利便性が高い。以下、本実施形態の構成および動作をより具体的に説明する。
【００２０】
［１−１．構成］
図１は、本実施形態における電子文書表示システムの全体構成を示す図である。本システムは、ネットワーク８０に相互に接続された第１サーバ２０、第２サーバ（レコーダ）３０、第３サーバ４０、および情報処理装置１０を備えている。
【００２１】
本実施形態では、電子文書として電子新聞（新聞コンテンツ）を例にして説明する。従って、情報処理装置１０は、電子新聞表示装置である。
【００２２】
情報処理装置１０は、速報ニュース（「新着記事」とも呼ぶ。）とその速報ニュースの到着後に配信される電子新聞である夕刊又は翌日の朝刊（新聞コンテンツ）を表示することが可能なＰＣ（パーソナルコンピュータ）、スマートフォンなどのユーザ端末であり、ここではメディアタブレットであるものとする。また、電子新聞を構成する夕刊または朝刊のコンテンツには見出し記事一覧や新聞イメージなどの情報が含まれる。
【００２３】
メディアタブレット１０は、有線又は無線を用いて通信ネットワーク８０を介して第１サーバ２０、第２サーバ（レコーダ）３０及び第３サーバ４０と接続可能である。
【００２４】
第１サーバ２０は、新聞社などの情報配信会社が管理するサーバであり、記録部２１に速報ニュースや朝刊又は夕刊などの新聞コンテンツを構成するＨＴＭＬ文書や画像などの情報を蓄積している。Ｗｅｂブラウザを備えたメディアタブレット１０からの要求に応じて通信ネットワーク８０を介して速報ニュースや電子新聞を配信する。
【００２５】
図２は、電子新聞を構成するＨＴＭＬ文書のデータ構造の一例を示している。第１サーバ２０の記録部２１に蓄積される電子新聞を構成するＨＴＭＬ文書は、このようなデータ構造を有している。ＨＴＭＬ文書は、表題、見出し、段落などの要素（部品）を組み合わせて構成される。ＨＴＭＬは、文書の一部を“<”と“>”で挟まれた「タグ」と呼ばれる特別な文字列で囲うことにより要素を示す方法であり、文章の構造や修飾についての情報を文書に埋め込んで記述することができる。文章の中で表題や段落の区切りを指定したり、文書の一部として画像や音声、動画を埋め込んだりすることができる。
【００２６】
ブラウザはＨＴＭＬデータの中からタグを探し出し、どの部分が見出しでどれが段落であるかを識別して表示する。図２の例では、ｈｔｍｌ要素の中にｈｅａｄ要素とｂｏｄｙ要素が含まれ、それぞれの内部にはさらに別の要素が含まれている。このような関係にあるとき、外側の要素を親要素、その内部に含まれる要素を子要素と呼ぶ。親要素から子要素、さらにその子要素というつながりで、一つの文書はｈｔｍｌ要素を出発点とする要素のツリー構造として表現することができる。以上から、電子新聞は、ＨＴＭＬ文書を用いて構成でき得る。なお、電子新聞はＸＭＬ文書によっても構成され得る。
【００２７】
第２サーバ３０は、メディアタブレット１０を使用するユーザ（家族も含む）が所有するレコーダ又は放送業者などの法人によって運営・管理し録画番組を記録・提供する専用サーバであり得る。ここでは、ユーザが所有するインターネットに接続可能な全録レコーダとする。レコーダ３０は、その記録部３１に複数の録画番組を保持している。
【００２８】
第３サーバ４０は、情報管理会社が管理するサーバであり、記録部４１にレコーダ３０の記録部３１に記録されている複数の録画番組毎のシーン一覧と当該シーンに付随するキーワード情報、シーン時刻情報などを保持している。第２サーバ４０は、メディアタブレット１０のネットワーク通信部（送信部）１１から速報ニュース又は電子新聞内の記事情報（新聞記事のテキスト情報を含む）を受信すると、速報ニュース又は電子新聞内のテキスト情報から当該記事に使用されているキーワードと一致又は関連するキーワードを有する録画番組を検索する。
【００２９】
メディアタブレット１０は、タッチセンサやハードウェアボタンによってユーザによるタップ操作や入力操作などの各種操作を可能にする入力部（操作部）１２と、表示画面上にＬＣＤ（液晶ディスプレイ）等を用いて速報ニュースの文字や新聞イメージの画像を表示する表示部１３と、表示すべき速報ニュースの文字データや新聞イメージの画像データを記録するハードディスクドライブ（ＨＤＤ）などの記録部１４と、第３サーバ４０から新聞コンテンツ内の記事に使用されているキーワードと一致又は関連するキーワードを有する録画番組情報（録画番組ＩＤ）を受信した場合、前記録画番組情報に基づいて当該新聞コンテンツ内の記事に関連する録画番組を再生するための再生ボタンを表示させる制御部（ＣＰＵ）１６などを備えている。
【００３０】
表示される速報ニュースの文字データや新聞イメージの画像データなどは、第１サーバ２０の記録部２１から公衆無線ＬＡＮサービスやインターネットなどの通信ネットワーク８０よりネットワーク通信部（受信部）１１を介して受信して記録部１４に取込まれる。その後、ユーザの操作に応じて入力部１２を介して制御部１６にその処理が受け渡され、制御部１６の命令に従ってＷｅｂブラウザは処理部１５により表示部１３の表示画面上に速報ニュースの文字や新聞イメージの画像を表示する。
【００３１】
制御部１６は、本実施形態では記録部１４に格納されたプログラムを実行するＣＰＵによって実現されるが、専用のハードウェアによって構成されていてもよい。また、表示部１５は、汎用のグラフィックコントローラ等によって構成され得る。
【００３２】
メディアタブレット１０には、速報ニュース一覧を表示する「速報ニュース一覧表示モード」と、速報ニュースの詳細を表示する「速報ニュース詳細表示モード」と、朝刊又は夕刊などの電子新聞の見出し記事一覧を表示する「見出し記事一覧表示モード」と、電子新聞の新聞イメージを表示する「新聞イメージ表示モード」を有している。ユーザは、メディアタブレット１０上の専用のボタン又は、表示画面上の特定箇所（ボタンなどの表示）を用いて各表示モード間を切り替えることができる。
【００３３】
［１−２．動作］
次に、電子新聞表示システムにおける電子新聞表示方法を説明する。図３は、この電子新聞表示方法を示すフローチャートである。
【００３４】
ステップＳ７０では、レコーダ３０から第３サーバ４０にレコーダ３０が全録した録画番組の情報（録画番組ＩＤ）を送る。このステップは、所定時間ごとに自動で実行されてもよいし、手動で実行されてもよい。
【００３５】
ステップＳ７１では、第３サーバ４０が、受信した複数の録画番組ＩＤを用いて録画番組を特定し、その録画番組のシーン毎のキ−ワードの作成などを行う。録画番組のシーン毎のキーワードの作成は、人手を介して又は機械的になされる。機械的に行われるキーワードの付与方法としては、録画番組の音声、字幕などを用いてキーワードを抽出する方法があり得る。人手を介して行われるキーワードの付与方法としては、情報管理会社の担当者が、必要に応じて録画番組毎に個別にキーワードの編集を行う方法が可能である。第３サーバ４０は、このように人手を介して又は機械的に作成された、受信した録画番組ＩＤに対応する録画番組のシーン一覧と、当該シーン毎のキーワード、および各シーンの開始時刻を示す情報を、記録部４１に格納する。
【００３６】
図４は、第３サーバ４０の記録部４１に格納される情報の具体例を示す図である。図示されるように、記録部４１には、レコーダ３０が保持する録画番組のタイトル、録画番組毎のシーン一覧（シーン毎のタイトル）、各シーンの開始時刻およびキーワードを示すテーブルが格納される。図４に示す項目の他、録画番組ＩＤその他の必要な情報も併せて格納されていてもよい。
【００３７】
ステップＳ７２では、メディアタブレット１０から第１サーバ２０に対して速報ニュースや朝刊又は夕刊などの電子新聞（新聞コンテンツ）の配信を要求する。これにより、メディアタブレット１０のネットワーク通信部１１は、Ｗｅｂサーバ２０から速報ニュースや朝刊又は夕刊などの新聞コンテンツを受信する。次に、ステップＳ７３では、メディアタブレット１０の制御部１６は、表示画面上に速報ニュースの一覧と後述する送信ボタンを表示させる。
【００３８】
図５は、メディアタブレット１０の表示部１３の画面に表示される速報ニュース一覧の表示例を示す図である。速報ニュース一覧表示モードでは、図５に示すように速報ニュース（新着記事）の一覧が表示され、その右端には各記事の見出しに対応して送信ボタン１００も表示される。ユーザは、速報ニュース一覧から閲覧したい見出し記事の箇所（例えば、「発電・電力小売り参入促進」の記事の箇所）をタップすることにより、速報ニュース詳細表示モードに切り替え、選択した記事の詳細を読むことができる。
【００３９】
図６は、速報ニュース詳細表示モードにおける表示画面の例を示す図である。図６に示すように、ユーザが「発電・電力小売り参入促進」の記事を選択した場合、当該記事の詳細な内容を表示する画面に遷移する。この画面には、記事の見出しと詳細内容の他、写真などの画像も表示され得る。ユーザは、各見出し記事について、図６に示すような詳細記事を表示することができる。なお、図６には示されていないが、直前の画面に戻るためのボタンをユーザがタップすることにより、速報ニュース一覧画面に戻ることができる。
【００４０】
ユーザは、新聞記事の内容を新聞のテキスト情報及び画像情報からだけでは理解が不十分と感じる場合がある。そこでステップＳ７４において、ユーザは、送信ボタン１００をタップすることにより、メディアタブレット１０のネットワーク通信部１０は、第３サーバ４０に対して図５に示す記事のうち、ユーザが選択した記事の情報に含まれるテキスト情報を送信する。なお、新聞コンテンツの各記事に予めタグ情報が埋め込まれている場合には、テキスト情報の代わりにそのタグ情報を送信してもよい。例えばＨＴＭＬにおけるＯｂｊｅｃｔタグを用いれば、各速報ニュースに対してキーワードを埋め込むことができる。
【００４１】
ステップＳ７５では、第３サーバ４０は、メディアタブレット１０のネットワーク通信部１１を介して送られた新聞記事のテキスト情報を受信すると、記録部４１に格納する、ユーザがレコーダ３０で録画した録画番組毎のシーン一覧とそれらのシーンに設定されているキーワード情報を用いて、速報ニュース内のテキストに使用されているキーワード（この例では、「発電」、「電力」）と一致又は類似（関連）するキーワードを有する録画番組を検索する。つまり、第３サーバ４０内でのキーワード検索として、一致検索及び/又は類似検索を行う。その結果、キーワードが一致又は類似する録画番組のシーンが１つ又は複数特定され得る。図４の例では、速報ニュースの記事に関連する録画番組として、キーワード「発電」が部分的に一致する録画番組「特集・自然災害」のシーン開始時刻８分２５秒のシーン「原子力発電と今後」が特定される。
【００４２】
ステップＳ７６では、第３サーバ４０は、特定された１または２以上の録画番組のシーンの再生時刻情報（録画番組ＩＤとシーンの開始時刻）をメディアタブレット１０に送信する。すると、ステップＳ７７では、メディアタブレット１０の制御部１６は、レコーダ３０の記録部３１に記録されている、ユーザが選択した内容のキーワードと一致又は関連するキーワードを有する録画番組を再生するための再生ボタン２００を表示部１３に表示させる。この際、制御部１６は、図７に示すように、処理部１５を介して送信ボタン１００と位置的に置き換わるように再生ボタン２００を表示させる。
【００４３】
この処理により、ユーザは、自身が保有するレコーダ３０で全録した録画番組から、選択した新聞記事に関連する録画番組が存在することを理解する。ユーザが再生ボタン２００をタップすることにより、ステップＳ７８では、メディアタブレット１０からレコーダ３０に、再生すべき録画番組ＩＤとシーン開始時刻の情報を送信することにより、当該録画番組の再生要求を行う。
【００４４】
ステップＳ７９では、レコーダ３０は、ステップＳ７８の再生要求に従って、録画番組の要求されたシーンを含むストリーミングファイルを転送する。ステップＳ８０では、メディアタブレット１０は、ネットワーク通信部１１を介してストリーミングファイルを受信し、処理部１５においてストリーミング方式のアプリケーションソフトを実行することにより、ストリーミングファイルをデコードする。そして、表示部１３の表示画面上にストリーミング転送された録画番組を再生した動画を表示する。
【００４５】
なお、上記の説明では、速報ニュースの記事を例にしているが、電子新聞の特定記事においても同様の処理が実現できる。例えば、特定記事中の任意の箇所をユーザがドラッグ操作などで選択し、その箇所のテキストを第３サーバ４０に送信するようにメディアタブレット１０が構成されていれば、上記と同様の処理が可能である。あるいは、電子新聞の個別の記事に、予めキーワードがタグ情報として埋め込まれている場合には、そのタグ情報を第３サーバ４０に送信するようにしてもよい。
【００４６】
［１−３．効果等］
以上のように、本実施形態における電子文書表示システムは、電子文書を保持する第１サーバ２０と、録画番組を保持する第２サーバ３０と、録画番組に関連付けられたキーワード情報を保持する第３サーバ４０と、情報処理装置１０とを備える。情報処理装置１０は、第１サーバ２０、第２サーバ３０、および第３サーバ４０との間で通信を行うネットワーク通信部１１と、ユーザの操作を受け付けるユーザインターフェースである入力部１２と、第１サーバ２０から取得した電子文書をディスプレイ（表示部）１３に表示させる制御部１６とを有している。制御部１６は、ユーザの選択に応答して、電子文書中の選択された内容に関連する情報を第３サーバ４０に送信し、送信した当該情報に一致または類似するキーワード情報に関連付けられた少なくとも１つの録画番組を特定する情報（録画番組ＩＤおよびシーンの開始時刻情報）を第３サーバ４０から取得して、前記第２サーバ３０に記録されている前記録画番組を再生する。これにより、ユーザは、新聞コンテンツ内で興味をもった箇所に関連する録画番組を容易かつタイムリーに視聴することができる。
【００４７】
特に、本実施の形態では、新聞コンテンツ内の記事に関連する録画番組を再生するための再生ボタン２００を画面に表示させるので、ユーザは新聞コンテンツ内の記事に関連する録画番組をさらに容易に特定することができ、しかもタイムリーにその録画番組を視聴することができる。
【００４８】
また、キーワード情報が録画番組を構成するシーンごとに関連付けられているため、制御部１６は、第３サーバ４０に送信した情報に一致または類似するキーワード情報に関連付けられたシーンを特定する情報を第３サーバ４０から取得することができる。その結果、ユーザが興味を持った記事中の箇所との関連性が特に高いシーンだけを再生することが可能である。
【００４９】
［１−４．変形例］
なお、本実施の形態では、電子文書表示システムが、第１サーバ２０と第２サーバ３０と第３サーバ４０という夫々異なるサーバを備える場合について説明したが、このようなシステム構成に限定されない。これらの３つのサーバのうち、２つまたは全部が１つの装置によって実現されていてもよい。例えば、図８に示すように、第１サーバ２０と第３サーバ４０の機能を有する第４サーバ５０と、第２サーバ３０と、情報処理装置１０とで電子文書表示システムを構成した運営形式でもよい。さらに、第１から第３サーバ２０〜４０の機能を有する１つのサーバと、情報処理装置１０とで電子文書表示システムを構成した運営形式でもよい。
【００５０】
図９は、図８に示す構成例におけるシステム全体の動作を示すフローチャートである。図８の例では、図３のフローチャートとは異なる図９に示すフローチャートに従って電子新聞の表示、録画番組の再生が行われる。図９と図３との主な違いは、第１サーバ２０と第３サーバ４０の動作が、第４サーバ５０に統合されている点、およびステップＳ７４をステップＳ８１に変更した点である。
【００５１】
以下、上記変更点を中心に説明する。メディアタブレット１０は、新聞コンテンツの配信要求および録画番組情報の要求を、同一の第４サーバ５０に対して行う。また、ステップＳ８１では、メディアタブレット１０のネットワーク通信部１１は、第４サーバ５０に新聞コンテンツ内のテキスト情報ではなく、記事ＩＤを送信する。第４サーバ５０は、記事ＩＤを受信すると、第４サーバ５０内の記録部２１に記録されている記事ＩＤからその記事に含まれるテキストを特定する。これにより、図３に示す構成と同様に、図４に示すような、記録部３１に格納されている録画番組毎のシーン一覧とそれらのシーンに設定されているキーワード情報を用いて、記事内のテキストに使用されているキーワードと一致又は関連するキーワードを有する録画番組を特定する。
【００５２】
このように、図８、９に示す構成では、新聞コンテンツを配信するサーバと番組情報を管理するサーバとが同一の第４サーバ５０によって実現されることから、新聞コンテンツ中のテキスト抽出と、当該テキストに関連する録画番組の特定とを、効率的に行うことができる。このような構成でも、図１、３に示す構成と同様の機能を実現することができる。
【００５３】
なお、本実施形態では、ユーザ（メディアタブレット１０）の側から速報ニュースや電子新聞の配信を第１サーバ２０に要求するクライアント主導型の方式（スマートプル型）を採用しているが、第１サーバ２０から適時に速報ニュースを配信し、決められた時刻に朝刊又は夕刊などの電子新聞を配信する、サーバ主導型の方式（リアルプッシュ型）を用いても実現可能である。
【００５４】
また、本実施形態では、第３サーバ４０が有するキーワード情報は、録画番組を構成するシーンごとに関連付けられているが、このような例に限られない。キーワード情報は、録画番組ごとに関連付けられていてもよい。
【００５５】
（実施形態２）
実施形態１では、電子文書として電子新聞（新聞コンテンツ）を表示する情報処理装置を含むシステム例を説明したが、本実施形態では新聞コンテンツ以外の書籍、雑誌、論文誌などの電子文書を表示する情報処理装置を含むシステムを説明する。
【００５６】
［２−１．構成］
図１０は、本実施形態におけるシステムの全体構成を示す図である。本実施形態では、第１サーバ２０は、新聞コンテンツ以外の書籍などの電子文書を配信する。また、第２サーバ３０および第３サーバ４０は、第５サーバ６０に統合され、１つの事業者によって運営されている。図１０に示す情報処理装置１０は、図１の情報処理装置と同じ構成であり、新聞コンテンツの表示以外に書籍、雑誌、論文誌などの電子文書の表示も行い得る。以下では、図１と異なる点を中心に説明する。
【００５７】
本実施の形態でも情報処理装置１０はメディアタブレットとするが、ＰＣやスマートフォンなどの他の情報処理装置であってもよい。
【００５８】
メディアタブレット１０は、有線又は無線を用いて通信ネットワーク８０を介して第１サーバ２０及び第５サーバ６０と接続可能である。
【００５９】
第１サーバ２０は、出版社などの情報配信会社が管理するサーバであり、記録部２１に書籍、雑誌、論文誌などの電子文書を構成するＰＤＦファイルやＨＴＭＬ文書や画像などの情報ファイルを蓄積している。Ｗｅｂブラウザを備えたメディアタブレット１０からの要求に応じて通信ネットワーク８０を介して電子文書を配信する。
【００６０】
第５サーバ６０は、放送会社や情報管理会社などが管理するサーバであり、記録部３１に記録されている複数の録画番組について、シーン一覧と当該シーンに付随するキーワード情報、シーン時刻情報などを記録部４１に保持している。第５サーバ６０は、メディアタブレット１０のネットワーク通信部（送信部）１１から電子文書内の選択された箇所のテキストデータ情報またはタグ情報を受信すると、テキスト情報又はタグ情報から当該箇所に使用されているキーワードと一致又は関連するキーワードを有する録画番組を検索する。
【００６１】
［２−２．動作］
次に、本実施形態の電子文書表示システムにおける電子文書の表示方法を説明する。
【００６２】
図１１は、この電子文書表示方法を示すフローチャートである。
【００６３】
ステップＳ１７１では、第５サーバ６０は、記録部３１に記録されている録画番組のシーン毎のキ−ワード情報の作成を行う。第５サーバ６０は、記録部３１に記録されている録画番組のシーン一覧と、当該シーン毎のキ−ワードおよびシーン開始時刻を規定する情報を、人手により又は機械的に作成し、記録部４１に格納する。第５サーバ６０の記録部４１に格納される情報は、例えば図４に示すテーブルと同様である。
【００６４】
ステップＳ１７２では、メディアタブレット１０から第１サーバ２０に対して電子文書の配信を要求することで、メディアタブレット１０のネットワーク通信部１１は第１サーバ２０から電子文書を受信する。次に、ステップＳ１７３では、メディアタブレット１０の制御部１６は、処理部１５を介して、表示部１３の表示画面上に電子文書の所定ページのコンテンツと後述する送信ボタンとを表示させる。
【００６５】
図１２は、メディアタブレット１０の表示画面に表示される電子書籍の表示例を示す図である。図１２に示す例では、森鴎外著の小説「阿部一族」のあるページが画面に表示されており、その下部には送信ボタン１００も表示されている。
【００６６】
ユーザが電子書籍を読んで特定の事象に対して興味を持つ場合がある。そこでステップＳ１７４では、ユーザは、事象（この例では「島原一揆」）に興味を持った場合、「島原一揆」の文字３００をドラッグ操作によって選択またはコピーし、送信ボタン１００をタップすることにより、第５サーバ６０に対して「島原一揆」のテキスト情報を送信する。なお、本実施形態でも、テキスト情報ではなく、電子書籍に埋め込まれたタグ情報を送信してもよい。例えば電子書籍の規格の１つであるＥＰＵＢによって電子文書が提供される場合、Ｏｂｊｅｃｔタグを用いてキーワードを埋め込むことができる。文書に埋め込まれたキーワード群から特定のキーワードを選択する方法も可能である。
【００６７】
ステップＳ１７５では、第５サーバ６０は、メディアタブレット１０のネットワーク通信部１１を介して送られた新聞記事のテキスト情報を受信すると、そのテキスト情報と、録画番組のキーワード情報とを照合することによって関連する録画番組を検索する。具体的には、第５サーバ６０は、記録部４１に格納されている、録画番組毎のシーン一覧とそれらのシーンに設定されているキーワード情報を用いて、電子書籍内のテキストに使用されているキーワード（この例では、「島原一揆」）と一致又は類似するキーワードを有する録画番組を検索する。その結果、キーワードが一致又は関連する録画番組のシーンが１つ又は複数特定され得る。図４の例では、キーワード「島原一揆」が一致する録画番組「知られざる歴史、島原一揆」内のシーン開始時刻０分０秒のシーン「オープニング」からシーン開始時刻５５分１５秒のシーン「エンディング」までの全てのシーンが抽出される。また、キーワード「島原一揆」に類似するキーワード「島原の乱」に関連付けられた録画番組「激動の歴史、祈り続けた民」内のシーン開始時刻３分７秒のシーン「キリシタンの悲劇」が抽出される。
【００６８】
ステップＳ１７６では、第５サーバ６０は、特定された複数の録画番組のシーンの再生時刻情報（録画番組ＩＤとシーンの開始時刻を示す情報）をメディアタブレット１０に送信する。すると、ステップＳ１７７では、メディアタブレット１０の制御部１６は、図１３に示すように、第５サーバ６０の記録部３１に記録されている、キーワードが一致又は類似する録画番組を再生するための再生ボタン２００を、処理部１５を介して表示部１３に表示させる。再生ボタン２００は、送信ボタン１００と位置的に置き換わるように表示される。図１３に示す例では、ユーザが指定した「島原一揆」に最も近いキーワードを有する録画番組「知られざる歴史、島原一揆」を再生するための再生ボタン２００が表示される。
【００６９】
上記の例のように複数の録画番組が抽出された場合は、図１４に示すように、抽出された複数の録画番組の情報を表示してもよい。図１４に示す例では、抽出された録画番組ごとに、各録画番組を再生するための再生ボタン２００に加えて各録画番組のタイトルとその概要、及びキーワード同士の一致度合いを示す該当率が表示されている。このように表示することで、ユーザは、電子書籍の選択した箇所に関連する録画番組が存在することを理解する。図１４の表示例の場合、録画番組の概要がわかり、さらに、該当率の情報からユーザは自分が指定した文言と録画番組のシーンに設定されたキーワードとの一致度合いが分かるので、検索された複数の録画番組からどの録画番組を再生すべきかの判断がし易くなる。
【００７０】
ユーザが所定の録画番組を再生するための再生ボタン２００をタップすることにより、ステップＳ１７８では、メディアタブレット１０から第５サーバ６０に指定された録画番組の再生要求を行う。この際、メディアタブレット１０の制御部１６は、再生すべき録画番組ＩＤとシーン開始時刻を第５サーバ６０に送信することで当該録画番組の再生要求を行う。
【００７１】
ステップＳ１７９では、第５サーバ６０は、ステップＳ１７８における再生要求に従って、録画番組の要求されたシーンを含むストリーミングファイルを転送する。ステップＳ１８０では、メディアタブレット１０は、ネットワーク通信部１１を介してストリーミングファイルを受信し、処理部１５においてストリーミング方式のアプリケーションソフトを実行することにより、ストリーミングファイルをデコードする。そして、表示部１３の表示画面上にストリーミング転送された録画番組を再生した動画を表示する。
【００７２】
［２−３．効果等］
以上のように、本実施の形態では、新聞以外の書籍、雑誌、論文などの電子文書についても実施形態１と同様、関連する録画番組の再生が可能である。本実施の形態でも、電子文書内の所定箇所に関連する録画番組を再生するための再生ボタン２００を表示させるので、ユーザは電子文書の所定箇所に関連する録画番組を容易に特定することができ、しかもタイムリーにその録画番組を視聴することができる。
【００７３】
なお、本実施の形態では、複数の録画番組が抽出された際、メディアタブレット１０の表示画面上に、再生ボタン２００に加えて各録画番組のタイトルとその概要、及びキーワード同士の一致度合いを示す該当率を表示したが、録画番組の概要と該当率の少なくとも何れか一方を表示させても良い。また、１つの録画番組だけが抽出された場合でも、録画番組の概要および／またはキーワードの一致の程度を示す情報（該当率）を表示部１３に表示してもよい。これらの表示の仕方は、実施形態１にも適用され得る。
【００７４】
なお、本実施の形態では、第２サーバ３０および第３サーバ４０の機能が第５サーバ６０に統合されているが、このような構成に限定されない。実施形態１と同様、第１サーバ２０、第２サーバ３０、第３サーバ４０は、それぞれ異なる装置によって実現されてもよいし、これらのうちの任意の２つまたは全部が１つの装置によって実現されていてもよい。運営する事業者についても、第１サーバ２０、第２サーバ３０、第３サーバ４０は、それぞれ異なる事業者によって運営されてもよいし、これらのうちの任意の２つまたは全部が１つの事業者によって運営されていてもよい。さらに、実施形態１と同様、第２サーバ３０は、ユーザが保有するレコーダであってもよい。
【００７５】
（実施形態３）
次に、第３の実施形態を説明する。本実施形態は、実施形態１と同様、新聞コンテンツを表示可能な情報処理装置１０に関するが、検索対象とする録画番組の条件をユーザが設定できる点が実施形態１と異なっている。以下、実施形態１と異なる点を中心に説明する。
【００７６】
［３−１．構成］
本実施形態におけるシステム構成および情報処理装置１０の構成は、実施形態１（図１）におけるものと同様である。よって、構成についての説明は省略する。
【００７７】
［３−２．動作］
本実施形態における動作の全体的な流れは、実施形態１（図３）におけるものと同様である。ただし、本実施形態では、図３のステップＳ７３において表示される画面と、ステップＳ７４においてユーザによって設定される情報とが、実施形態１のものとは異なっている。
【００７８】
図１５は、本実施形態における情報処理装置１０が表示する速報ニュース一覧画面を示す図である。本実施形態では、図３に示すステップＳ７３において、図５に示す画面の代わりに、図１５に示す画面が表示される。図１５に示す画面では、記事の見出しおよび送信ボタン１００に加えてメニューボタン５０が各記事に対応して表示される。このメニューボタン５０をユーザがタップすると、図１６に示す送信サービスメニュー一覧画面に遷移する。この画面において、ユーザは、詳細な検索条件を設定することができる。図１６に示す画面において、戻るボタン１５０をタップすると、図１５に示す画面に戻る。
【００７９】
ユーザは、図１６に示すメニュー一覧から、希望する項目について、検索条件を設定できる。設定項目には、例えば、「ジャンル」、「最新優先」、「チャンネル（ＣＨ）指定」、「時間指定」などがあり得る。「ジャンル」は、例えばニュース、ワイドショー、解説、スポーツなどを含み、これらの中から希望するジャンルの番組だけを検索対象にすることができる。「最新優先」は、検索結果が複数の録画番組を含む場合に、最新の日付のものだけを表示するか否かを設定するための項目である。なお、検索対象を最新のものだけでなく、期間で指定できるようにしてもよい。「チャンネル指定」は、特定のチャンネルだけを検索対象にするための設定項目である。例えばＮＨＫの番組のみ、または民法の番組のみを検索対象とすることができる。「時間指定」は、再生する録画番組の長さを設定するための項目である。これにより、ユーザは、選択した記事に関連する録画番組のシーンのうち、設定した時間内に納まっているもののみを検索対象にすることができる。なお、上記の設定項目はあくまでも例示であり、ユーザが再生を希望する録画番組の条件を設定するための少なくとも１つの項目であれば、どのようなものでもよい。
【００８０】
本実施形態では、ユーザがこれらの検索条件を設定した後、送信ボタン１００をタップすると、それらの検索条件を示す情報も記事情報とともに第３サーバ４０に送信される。第３サーバ４０は、ユーザが指定した記事情報に関連する録画番組のシーンのうち、検索条件に合致するものの番組ＩＤおよび開始時間の情報を情報処理装置１０に送信する。その結果、ユーザが希望する条件に合致する録画番組のみを再生することができる。
【００８１】
なお、サービスメニューの各項目は、ユーザが設定する前から予め特定の条件に設定されていてもよい。例えば、機器の各種ログデータ（例えば検索履歴など）に基づいて、そのユーザの嗜好に沿った条件が自動で設定されるように構成されていてもよい。また、一旦ユーザが各項目の設定を変更した場合、その設定内容を保存し、次回の検索時にもその設定内容が適用されるようにしてもよい。
【００８２】
［３−３．効果等］
以上のように、本実施形態における情報処理端末１０の制御部１６は、ユーザが再生を希望する録画番組の条件を設定するための少なくとも１つの項目を前記ディスプレイに表示させる。これにより、ユーザが再生を希望する録画番組を、自己の好みに合わせて絞り込むことができるため、ユーザの満足度をさらに向上させることができる。
【００８３】
また、本実施形態では、制御部１６が電子文書とともにメニューボタンを表示部１３に表示させ、ユーザがメニューボタンを選択したとき、録画番組の条件を設定するための画面を表示部１３に表示させる。このため、検索対象の条件を設定するための多くの項目を表示させることができる。設定項目が多ければ、ユーザは、より詳細に条件の設定を行うことが可能となるため、ニーズに合った検索結果が得られる可能性が高くなる。
【００８４】
また、条件設定のために表示される項目の中に、番組のジャンル、チャンネル、再生時間のいずれかが含まれるようにすれば、これらの設定項目で検索対象を絞り込むことができるため、有用性がさらに向上する。
【００８５】
［３−４．変形例］
上記の検索条件設定機能は、実施形態２における情報処理装置１０に適用することもできる。以下、そのような情報処理装置１０の例を説明する。
【００８６】
図１７は、この例における情報処理装置１０が表示する電子書籍表示画面を示す図である。この例では、図１１に示すステップＳ１７３において、図１２に示す画面の代わりに、図１７に示す画面が表示される。図１７に示す画面でも、メニューボタン５０が追加されている。このメニューボタン５０をユーザがタップすると、図１８に示す送信サービスメニュー一覧画面に遷移する。この画面において、ユーザは、詳細な検索条件を設定することができる。図１８に示す画面において、戻るボタン１５０をタップすると、図１７に示す画面に戻る。
【００８７】
ユーザは、図１８に示すメニュー一覧から、希望する項目について、検索条件を設定できる。設定項目については、上記の図１６に示す例と同様である。ただし、図１８に示す例では、検索対象の範囲が放送番組に限らず映画を含んでいる点が上記の例とは異なっている。これにより、ユーザが選択した文書中の箇所に関連する映画を見たいという要望にも応えることができる。また、図１８に示す例では、事業者から録画番組の提供を受ける場合を想定していることから、「注意項目」として、料金に関する注意書きが表示されている。
【００８８】
以上の構成により、図１７、１８に示す例でも、ユーザが希望する動画の条件を詳細に設定できる。ユーザが送信ボタン１００をタップした後、ユーザの要望に沿って第３サーバ４０が条件に合う動画を選択して情報処理端末１０が速やかに当該動画を再生させてもよいが、再生開始する前にユーザに再生すべき動画のタイトル、再生時間、概要などを送ることで、ユーザに再生前の最終確認を行わせてもよい。この際、再生する動画の候補が複数存在するときは、それらの中からユーザが１つを選択し、再生ボタン２００をタップして初めて動画が開始される。このような構成によれば、特にユーザが映画を選択し、再生時間が長くなる場合に、視聴料金が割高になることについてユーザに注意喚起できる。
【００８９】
なお、本実施形態でも、第１サーバ２０、第２サーバ３０、第３サーバ４０は、それぞれ異なる装置によって実現されてもよいし、これらのうちの任意の２つまたは全部が１つの装置によって実現されていてもよい。運営する事業者についても、第１サーバ２０、第２サーバ３０、第３サーバ４０は、それぞれ異なる事業者によって運営されてもよいし、これらのうちの任意の２つまたは全部が１つの事業者によって運営されてもよい。
【００９０】
（実施形態４）
次に、第４の実施形態を説明する。以上の実施形態では、電子文書に関連する録画番組を検索して再生するシステムに関しているが、本実施形態では、録画番組に限らず、地図、ウェブページ、動画像といった様々な関連情報を一括して取得して電子文書とともに表示できるシステムおよび情報処理装置に関している。以下、上記の実施形態と異なる点を中心に説明する。
【００９１】
［４−１．構成］
図１９は、本実施形態における電子文書表示システムの全体構成を示す図である。本実施形態では、電子文書を配信する第１サーバ２０と、文書、静止画像、動画像などの種々のデータを保持する第６サーバ７０と、情報処理装置１０とを備えている。第１サーバ２０および情報処理装置１０は、上記の実施形態のいずれかにおけるものと同一であるため、詳細な説明は省略する。第６サーバ７０は、その記録部７１に、キーワード情報に関連付けられた動画像、静止画像、および文書などのデータを保持している。図１９には、一例として、ＨＴＭＬ文書、地図画像、動画像などを保持していることが示されている。
【００９２】
［４−２．動作］
図２０は、本実施形態における電子文書表示システムの動作を示す図である。まず、ステップＳ２７２において、情報処理装置１０が第１サーバから電子文書のデータを受信する。その後、ステップＳ２７３において、情報処理装置１０は、自身に内蔵または接続されたディスプレイに当該電子文書を表示する。ここで表示される電子文書のイメージは、例えば図５または図１２に示すイメージと同様である。続いて、ステップＳ２７４において、情報処理装置１０を使用しているユーザが電子文書中のある箇所に興味を持ち、当該箇所に関連する情報を得るために送信ボタン１００をタップしたことを検知すると、情報処理装置１０は第６サーバ７０に送信指示を行う。この際、ユーザによって選択された箇所に関連するテキスト情報が第６サーバ７０に送られる。第６サーバ７０は、ステップＳ２７５において、当該テキスト情報を受け取ると、それと同一または類似するキーワード情報に関連付けられた地図、動画、ウェブページなどの情報を抽出してその結果を情報処理装置１０に送信する。検索結果を受け取った情報処理装置１０は、ステップＳ２７７において、その結果をディスプレイに表示する。
【００９３】
図２１は、ステップＳ２７７における画面表示の変化の例を示す図である。図２１（ａ）は、図５に示す画面と同一である。図２１（ａ）の状態において、ユーザが記事「発電・電力小売り参入促進」に対応する送信ボタン１００をタップすると、第６サーバ７０による検索が実行され、検索結果を受け取った情報処理装置１０は、画面を図２１（ｂ）の状態に変化させる。図２１（ｂ）に示す例では、記事「発電・電力小売り参入促進」に紐付けられたキーワードに関連する動画へのリンク６００、ウェブページへのリンク６２０、地図の画像へのリンク６４０が表示されている。
【００９４】
図２２は、ステップＳ２７７における画面表示の変化の他の例を示す図である。図２２（ａ）は、図１２に示す画面と同一である。図２２（ａ）の状態において、ユーザが電子書籍中の「島原一揆」の文言をドラッグ操作などにより選択した状態で送信ボタン１００をタップすると、第６サーバ７０による検索が実行され、検索結果を受け取った情報処理装置１０は、画面を図２２（ｂ）の状態に変化させる。図２２（ｂ）に示す例では、「島原一揆」の文言に関連する動画へのリンク６００、ウェブページへのリンク６２０、地図の画像へのリンク６４０が表示されている。
【００９５】
これらのリンクをユーザが選択すると、ステップＳ２７８において、情報処理装置１０の制御部１６は、選択されたリンク先のデータを第６サーバ７０に要求する。第６サーバ７０は、ステップＳ２７９において、要求された動画像、ウェブページ、または地図の画像のデータを情報処理装置１０に送信する。そのデータを受け取った情報処理装置１０は、ステップＳ２８０において、当該動画像、ウェブページ、または地図の画像などをディスプレイに表示する。
【００９６】
なお、動画像へのリンク６００、ウェブページへのリンク６２０、地図の画像へのリンク６４０を表示する代わりに、動画、ウェブページ、地図の内容そのものを電子文書とともに表示してもよい。例えば、ユーザが選択した内容に最も関連性が高いと考えられる情報が動画であった場合、その動画を上記のリンクの代わりに表示して再生してもよい。あるいは、第６サーバ７０に辞書や百科事典のデータが格納されている場合、そのデータを取得して、ユーザが選択した用語の定義などを上記のリンクの代わりに表示することも可能である。このような構成を採用する場合、図２０におけるステップＳ２７５、Ｓ２７７、Ｓ２７８を省略し、ステップＳ２７９では、最も関連性の高い情報のみが第６サーバ７０から情報処理装置１０に送信されるようにすればよい。また、検索結果を表示する画面の構成や表示内容は、ユーザの好みに合わせてカスタマイズできるようにしてもよい。例えば、図１４に示すような動画像の概要や該当率を示す情報を表示できるように設定することもできる。
【００９７】
[４−３．効果等]
以上のように、本実施形態におけるシステムは、電子文書を保持する第１サーバ２０と、キーワード情報に関連付けられた動画像、静止画像、および文書などのデータを保持する第６サーバ７０と、情報処理装置１０とを備えている。情報処理装置１０は、第１サーバ２０および第６サーバ７０との間で通信を行うネットワーク通信部１１と、ユーザの操作を受け付けるユーザインターフェースである入力部１２と、第１サーバ２０から取得した電子文書をディスプレイ（表示部）１３に表示させる制御部１６とを有している。制御部１６は、ユーザの選択に応答して、電子文書中の選択された内容に関連する情報を第６サーバ７０に送信し、送信した情報に一致または類似するキーワード情報に関連付けられた動画像、静止画像、および文書などのデータを第６サーバ７０から取得して、当該動画像、静止画像、文書などを電子文書とともにディスプレイに表示させる。
【００９８】
これにより、ユーザは、電子文書内で興味をもった箇所に関連する様々な情報を一度に容易かつタイムリーに取得することができる。特に本実施形態では、実施形態１〜３とは異なり、録画番組に限らず、閲覧中の文書の中で気になった記事や文言などに関連する情報を一度に広く収集できることから、より理解を深めることができる。このように、本実施形態は、一度にこれらの情報を収集できるので、多面的にかつ有機的に物事を理解することができる。そのため、従来のように複数回にわたってこれらの情報を収集する場合に生じる、ユーザが手間を掛けることを嫌がって情報を収集しないことに起因した知識習得の機会損失を回避することができ、その効果はきわめて大きい。
【００９９】
本実施形態では、第６サーバ７０は、文書、静止画像、動画像などを保持する単独の装置として説明したが、このような形態に限定されるものではない。例えば、地図データを保持する事業者のサーバ、ウェブ上で辞書や百科事典を運営する事業者のサーバ、ウェブページ検索事業者のサーバ、動画像の提供事業を行う事業者のサーバの集合によって第６サーバ７０の機能が実現されていてもよい。これらのサーバの中には、実施形態１における第２サーバ３０のような、ユーザが保有するレコーダを含めることもできる。あるいは、第６サーバ７０が検索の基点となって上記のような様々なサーバからインターネットなどのネットワークを介して関連情報を収集し、収集した情報を情報処理装置１０にまとめて提供する構成も可能である。そのような構成によれば、ユーザは世界中のサーバから関連情報を幅広く取得することができるため、閲覧している電子文書の理解をより促進することができる。このように、第６サーバ７０は、単独の装置によって構成されてもよいし、複数の装置によって構成されてもよい。また、本実施形態においても、実施形態３（図１５〜１８）のように、ユーザが検索対象の詳細条件を設定できるように構成されていてもよい。本実施形態では、例えばウェブ検索、地図検索、動画検索のそれぞれについて、個別の条件を設定できるようにしてもよい。
【０１００】
なお、本実施形態では、第６サーバ７０は、一例としてウェブ検索、地図検索、動画検索を一括して行う構成を想定したが、このような例に限定されない。第６サーバ７０は、キーワード情報に関連付けられた静止画像、動画像、および文書の少なくとも１つのデータを保持し、検索機能を有していれば、どのように構成されていてもよい。ただし、第６サーバ７０が、キーワード情報に関連付けられた静止画像、動画像、および文書の少なくとも２つのデータを保持していれば、情報処理装置１０は、当該少なくとも２つのデータを取得して電子文書とともに表示できるため、ユーザの理解をより促進させることができる。当然、これらの３種類のデータの全てが電子文書とともに表示され、また、同時に表示される情報の数が多いほど、ユーザにとって有益と言える。
【０１０１】
しかしながら、収集した情報を小型のディスプレイに表示させる場合や、制御部１６が処理できるデータ量に対して受信したデータの総量が多い場合のように、使用環境によっては同時に多数の情報を表示することが好ましくない場合もある。そのような場合、制御部１６は、電子文書とともにディスプレイに表示する情報の種類や数を変化させてもよい。例えば、低解像度の小型ディスプレイに表示させる場合は、検索された情報のうち、最も関連性（該当率）が高いと考えられる２つの情報（例えば動画と用語の定義を１つずつ）を表示させ、高解像度の大型ディスプレイに表示させる場合は、３つ以上の情報（例えば、動画、用語の定義、地図をそれぞれ１つ以上）を表示させるといった制御が可能である。このように、制御部１６は、ディスプレイの解像度、制御部１６の処理性能、受信したデータのサイズといった種々の要因に応じて、同時に表示する情報の種類や数を調整してもよい。また、これらの設定をユーザ自身が行えるようにするための設定画面をディスプレイに表示するようにしてもよい。
【０１０２】
（他の実施形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【０１０３】
以上の実施形態では、情報処理装置１０は、主にメディアタブレットであるものとしたが、ＰＣやスマートフォンその他の装置でもよい。情報処理装置１０がデスクトップＰＣである場合、制御部１６は、情報処理装置１０に接続されたディスプレイに電子文書などを表示することになる。また、図１等に示す情報処理装置１０の構成は、あくまでも一例であり、上記の機能を有している限り、その構成は任意である。また、上記の説明における画面構成、テーブル構成、データ構成、フローチャートなどは、一例であり、これらは適宜変更することが可能である。例えば、各実施形態における送信ボタン１００、再生ボタン２００などは、必ずしもボタンとして表示される必要はなく、同様の機能を有する他の表示であってもよい。また、送信ボタン１００を押下することなく、文書中の任意の箇所をユーザが選択するだけで選択した内容に関連する情報をサーバに送信するような構成でもよい。さらに、実施形態１〜３において、情報処理装置１０が録画番組データを取得した後すぐに再生を開始する構成や、ジェスチャー認識や音声認識といった他の方法によってユーザが再生を指示できる構成を採用してもよい。
【０１０４】
本開示の技術は、上述の各実施形態における処理を規定するソフトウェア（プログラム）にも適用され得る。そのようなプログラムに規定される動作は、例えば図３、９、１１、２０に示すとおりである。このようなプログラムは、可搬型の記録媒体に記録されて提供され得る他、電気通信回線を通じても提供され得る。装置に内蔵されたプロセッサがこのようなプログラムを実行することにより、上記の実施形態で説明した各種動作を実現することができる。
【０１０５】
以上のように、本開示における技術の例示として、実施の形態を説明した。そのために、添付図面および詳細な説明を提供した。
【０１０６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１０８】
本開示にかかる技術は、電子文書を受信できる装置、およびそれを含むシステムに利用可能である。例えば、ワークステーション、パーソナルコンピュータ、メディアタブレット、スマートフォンなどの情報処理装置に好適に使用できる。
【符号の説明】
【０１０９】
１０    情報処理装置（メディアタブレット）
１１    ネットワーク通信部
１３    表示部（ＬＣＤ）
１４    記録部
１５    処理部
１６    制御部（ＣＰＵ）
２０    第１サーバ
３０    第２サーバ（レコーダ）
４０    第３サーバ
５０    第４サーバ
６０    第５サーバ
７０    第６サーバ
８０    通信ネットワーク
【図１】
2013243642.tif 000003
【図２】
2013243642.tif 000004
【図３】
2013243642.tif 000005
【図４】
2013243642.tif 000006
【図５】
2013243642.tif 000007
【図６】
2013243642.tif 000008
【図７】
2013243642.tif 000009
【図８】
2013243642.tif 000010
【図９】
2013243642.tif 000011
【図１０】
2013243642.tif 000012
【図１１】
2013243642.tif 000013
【図１２】
2013243642.tif 000014
【図１３】
2013243642.tif 000015
【図１４】
2013243642.tif 000016
【図１５】
2013243642.tif 000017
【図１６】
2013243642.tif 000018
【図１７】
2013243642.tif 000019
【図１８】
2013243642.tif 000020
【図１９】
2013243642.tif 000021
【図２０】
2013243642.tif 000022
【図２１】
2013243642.tif 000023
【図２２】
2013243642.tif 000024